(57)【要約】【課題】寒冷時に用いる保温性シートの材料である詰め物や詰め物の中の空気が体温で暖められるまでの時間を短縮させ、すばやく暖かさを感じる速暖性感温シートを提供するものであり、シートの体の接する側に温められやすい材料を配することで、加熱ヒータを用いることなく、自己の体温を利用して暖かさを感じる省エネ型速暖性感温シートを提供する。【解決手段】発泡樹脂シート２が、２種又はそれ以上の重ね合わせたシート２より構成され、各シート２は、複数の通気孔５を有し、これらの重ね合わされたシート２を布地４で被覆してなる、多孔・多層空隙構造を形成し、且つ、マット厚さ方向に通気性を有し、又、重ね合わせ積層されたシートをキルトし一体化してなる、速暖性感温シートをポリオレフィン及び又はポリオレフィン共重合体よりなる発泡シートとした。【選択図】図１
2011005810.tif 000002
【特許請求の範囲】
【請求項１】
樹脂発泡シートが、２種又はそれ以上の重ね合わせたシートより構成され、各シートは、複数の通気孔を有し、これらの重ね合わされたシートを通気性布地で被覆してなる、多孔・多層空隙構造を形成し、且つ、厚さ方向に通気性を有することを特徴とする速暖性感温シート。
【請求項２】
各シートに設けた複数の通気孔は、それぞれ形状・大きさを異ならしめ、重ね合わせた相隣接するシートの通気孔同士互いにオーバーラップされていることを特徴とする請求項１記載の速暖性感温シート。  
【請求項３】
重ね合わせ積層されたシートをキルトし、一体化したことを特徴とする請求項１記載の速暖性感温シート。
【請求項４】
樹脂発泡シートがポリオレフィン及び又はポリオレフィン共重合体よりなる発泡シートであることを特徴とする請求項１記載の速暖性感温シート。
【請求項５】
樹脂発泡シートが、ポリオレフィン及び、又はポリオレフィン共重合体と、ポリウレタン発泡シートであることを特徴とする請求項１記載の速暖性感温シート。
【請求項６】
請求項１乃至請求項５の速暖性感温シートにおいて、通気性布地の内側に繊維わたシートを配することを特徴とする速暖性感温シート。 
【発明の詳細な説明】
【技術分野】
【０００１】
本発明は、本発明は、人体を保温する寝具などに使用する保温シート分野、特に、加熱ヒータを用いず、自分の体温でシート表層部を加温させ、接触する部分の人体に温かさを感じさせる速暖性を有する感温シートに関する。
速暖性感温シートとは、シートに触った時、手や体の温かさでシートが温められ、手や体に温かいと感じるられるシートであって、シートに触った瞬間からの温度上昇を時間経過で計測してグレードを知る。
【背景技術】
【０００２】
寒冷時、加温していないふとんの中に入った時、ヒンヤリとした冷たさ感じる。体温により、寝具が徐々に温められ、体が温かさを感じてくるまでにはかなりの時間が掛かる。詰め物がウレタンフォームや繊維わたの場合、ウレタンフォーム中の空気や繊維間の空隙にある空気が体温で温められ、やがて寝具全体で温かさを感じることになる。即ち、この温かさを感じるまでの時間が少ない程、速暖性が高いと云える。
このような寒冷時、寝具の補助材として用いられるのが保温性シートであり、敷き寝具や掛け寝具と共に用いられる。また、ひざ掛けや体に巻きつけて暖をとることもできる。保温性シートは体と接して使うものであり、柔らかさ、クッション性の他に保温性や透湿性等の性能が要求され、着用する際には、特に加熱をしない限り、材料は周囲の環境温度と同じであり、寒冷時には、環境温度にある保温シートと体温との温度差がある。
【０００３】
これらシートの素材として、アルミなどの金属箔シートと、空気を封入した多数の凸部が一側へ突出形成された柔軟なプラスチックシートと、柔軟なプラスチックシートとが積層された寝袋（特許文献１）、或はポリエチレンやポリプロピレンなどの樹脂発泡体を使用した寝具（特許文献２）などが知られている。
【０００４】
上記、アルミなどの金属箔シートは熱伝導性がよく、体で触れるとすぐに暖かくなるが、気温が低いと接触冷感が強く、触った瞬間体表温度は金属に熱を奪われ一旦温度低下した後に温度上昇に転じる。
アルミは熱伝導性がよく、熱を反射するので温まりやすいが、体に触れると表面はフラットで接触冷感が強く、体からの熱を奪いやすいので、寒い時には、より冷たく感じるので、体の表層部に配するのは好ましい材料とは言えない。
【先行技術文献】
【特許文献】
【０００５】
【特許文献１】実用新案登録第３００４２７４号公報
【特許文献２】実用新案登録第３００６２３１号公報
【発明の概要】
【発明が解決しようとする課題】
【０００６】
本発明は、寒冷時に用いる保温性シートの材料である詰め物や詰め物の中の空気が体温で暖められるまでの時間を短縮させ、すばやく暖かさを感じる速暖性を有する感温シートを提供するものであり、シートの体の接する側に温められやすい材料を配することで、加熱ヒータを用いることなく、自己の体温を利用して暖かさを感じる省エネ型速暖性を有する感温シートを提供するものである。
本発明では、０．５ｍｍ〜高々５ｍｍ程度の薄い樹脂発泡シートを用い、如何に速暖感温性能を上げるかということを鋭意研究した結果、本発明に到達したものである。樹脂発泡シートを単純に貼り合わせることだけでは、通気性や接触冷温感が変化したり、洗うことができなくなるとの理由からこの分野では使われていない。本発明は、薄い有孔樹脂発泡シートを他のシート材料と積層・縫製することにより、速暖性を有し、且つ、フレキシブル性があり、洗濯も可能な速暖性感温シートを得ることに到達した。
【課題を解決するための手段】
【０００７】
本発明は上記の点に鑑みて、請求項１記載の発明にあっては、樹脂発泡シートが、２種又はそれ以上の重ね合わせたシートより構成され、各シートは、複数の通気孔を有し、これらの重ね合わされたシートを通気性布地で被覆してなる、多孔・多層空隙構造を形成し、且つ、厚さ方向に通気性を有する速暖性感温シートとした。
請求項２記載の発明にあっては、請求項１の速暖性感温シートの各シートに設けた複数の通気孔は、それぞれ形状・大きさを異ならしめ、重ね合わせた相隣接するシートの通気孔同士互いにオーバーラップされている速暖性感温シートとした。  
請求項３記載の発明にあっては、請求項１記載の速暖性感温シートの重ね合わせ積層されたシートをキルトし、一体化した速暖性感温シートとした。
請求項４記載の発明にあっては、請求項１記載の速暖性感温シートの樹脂発泡シートがポリオレフィン及び又はポリオレフィン共重合体よりなる発泡シートとした。
請求項５記載の発明にあっては、樹脂発泡シートが、ポリオレフィン及び、又はポリオレフィン共重合体と、ポリウレタン発泡シートは請求項１乃至５記載の速暖性感温シートとした。
請求項６記載の発明にあっては、請求項１乃至請求項５の速暖性感温シートにおいて、通気性布地の内側に繊維わたシートを配する速暖性感温シートとした。
【発明の効果】
【０００８】
本発明シートは、樹脂発泡シートが、２種又はそれ以上の重ね合わせたシートより構成され、各シートは、複数の通気孔を有し、孔の形状・大きさは同一でもよいし、異なってもよく、大きさ・形状の異なる場合、該通気孔は相隣接するシートの通気孔と部分的にオーバーラップされ、これらの重ね合わされたシートを低通気性布地で被覆してなる多孔・多層空隙構造とすることが可能で、寝具その他の保温などに使用する際に、身体が本発明シートに触れることによって、加熱ヒータ等の熱源を使用することなく、自己の体温でシート表層部を加熱させ、使用者に寝具等の暖かさを感じさせることも可能としている。
【０００９】
また、隣接するシートに設けられた通気孔同士が部分的にオーバーラップしている場合、オーバーラップする位置及びオーバーラップの程度により空隙の配置及びその大きさが適宜変化して散在することになり適度に通気の流通が阻害され保温効果を高めている。
また、シート素材としてポリオレフィン及び又はポリオレフィン共重合体よりなる発泡シートを用いているために使用時にかさつき音などの不要な音の発生は生じない。
【図面の簡単な説明】
【００１０】
【図１】本発明の速暖性感温シートの断面を模式的に示すもので、Ａは第１の、Ｂは第２の、Ｃは第３の例を示す。
【図２】３種類の有孔シートを積層した速暖性感温シートを模式的に示した断面図。
【図３】Ａ，Ｂ，Ｃはそれぞれ異なる配置に通気孔を設けた発泡樹脂シートの平面図。
【図４】サンプルに手を載せた瞬間から６０秒後のサンプル表面と裏面の温度を示す図。
【図５】ポリウレタンフォームシート及びＰＥ発泡シートについて、それぞれのシートと手との間に布地を挿入させた場合と、それぞれのシートの両側を布地で挟み込んだ場合の温度上昇を計測した図。
【図６】ポリエステル繊維製布地と綿１００％ふとん側地の布地単体と布地にウレタンフォームを積層したときの６０秒後の温度上昇を見た図。
【発明を実施するための形態】
【００１１】
ポリエチレンやポリプロピレンなどの保温性シートを両手のひら（手掌）の間に挟むと、最初は冷たいが、しばらくすると、手の温かみでシートが温められ温度上昇し、このシートの温度が手に戻り「温かい」と感じようになる。樹脂発泡体シートの有する気泡の中の空気が温められ手のひらに温かいと感じられるためである。この原理を利用したのが本発明で、本発明者らは、樹脂発泡体の中でも、ポリオレフィン発泡体シートに着目して検討することで本発明に到達した。
【００１２】
本発明者らは、種々の材料について、手に感じる温かさを、温度計測した。
室温２６℃の実験室で、被験者を安静椅座状態におき、部屋の温度に充分安定させたポリスチレンフォーム製の台上に置いたサンプルシートに、手のひら中央部の特定した位置を当てて温度を５分間計測した。サンプルシートの表裏に温度計を取り付けて計測しているので、手の接触面と裏面との温度差はシート材料及び厚さの熱伝達差が出ている。
サンプルは、手のひらからの体温で上昇し、サンプルを温め、温められて上昇した表面温度を手で感じることになる。
手を載せた瞬間からの６０秒後のサンプル表面（接触面）と裏面の温度を図４に示す。
樹脂発泡体として、ＰＥ（ポリエチレン）発泡シート１ｍｍ、２ｍｍを計測したが、厚さ１ｍｍと２ｍｍの差は裏面の温度差には現れているが、表面では同じでありすぐに温かくなる速暖性を示しており、熱伝導のよいアルミと同等の温度上昇を示し、ウレタンフォームや繊維わたより温かく感じることを示している。
布団の中袋として通常使われている薄地のポリエステルタフタ（目付１５０g/m2、JIS  L1096A法フラジール通気度２cm3／cm2・sec）のデータは、薄地であり６０秒後で既に裏面は表側温度（接触温度）に達している。
【００１３】
次いで、ポリウレタンフォームシート及びＰＥ発泡シートについて、それぞれのシートと手との間にタフタを挿入させた場合と、それぞれのシートの両側をタフタで挟み込んだ場合の温度上昇を計測した。
結果は次の図５に示すように、空気を含有するシートをタフタのような通気性の少ない布地で覆うことにより空気の流れが遮られ、温度上昇効果はさらに上昇することが判る。
【００１４】
次の図６は、タフタ（ポリエステル繊維製）とふとん側地（綿１００％織物）の布地単体と布地にウレタンフォームを積層したときの６０秒後の温度上昇を見ると、布地単体の場合では０．６℃ほど上昇温度の差はあるも、ウレタンを積層した場合には差はない。厚さが同じ程度であれば、６０秒後の温度差に大差はみられない。編物でも大差はなく、積層する布地は織編不織布いずれでも特に限定するものではない。
【００１５】
次に速暖性感温シート１の構成について述べる。
本発明の速暖感温シート１には、ポリエチレンやポリスチレン製の発泡樹脂シート２が効果的であり、厚さは０．５〜３ｍｍ程度、特に、０．７ｍｍ〜２．０ｍｍ程度がフレキシブル性の点で好ましいが、発泡樹脂シート２はそのままでは力が加わると破れやすく、支持体として弾力性があり、クッション性もあるポリウレタンフォームシート３などを積層させることで破れ難い構造にすることができる。
また、発泡樹脂シートを通気性布地４で覆うことで空気の流動が抑制され、速暖性を向上することができる。
さらに、破れにくくするために、１ｍｍ程度の薄いシート２を複数枚積層する場合、積層したシート間に空隙が形成され、さらに、これらをキルト縫製６することによりキルト縫製６された区切り内で空気の流れが抑制されることにもなり、速暖性能はより向上することになる。
【００１６】
発泡樹脂シート使用中の、ムレを防ぐために、シートの厚さ方向に貫通する複数個の通気孔５を設ける。孔の開口率としてマット全体の３〜３０％程度がよい。３０％以上では通気もよくムレは問題ないが保温性が悪くなり、強度的にも弱くなる。また、３％以下では、ムレ感を生じるので、好ましくは開口率５〜１５％が良い。
また、複数のシートをキルト縫製６により積層縫着して一枚のマットとする場合には、それぞれのシートを貫通する孔５の開口率は同じでもよいが必ずしもそれぞれを同一にする必要はない。
また、通気孔５の形状は円形、長円形、矩形など色々あるが特に限定するものではない。例えば、２ｍｍΦ孔を１５ｍｍ等間隔ピッチで穿つ孔を有するシートと、１０ｍｍΦで３０ｍｍ等間隔ピッチで穿たれた孔を有するシートとを積層してもムレ感には支障がない。
【００１７】
図２は図３に示す３種類の発泡樹脂シート２ａ，２ｂ，２ｃを積層した場合の断面図を模式的に示した図であり、各層の通気孔５の大きさ、ピッチが異なる例を示しているので、各層の通気孔５が全層にわたり貫通している個所、個々の層に独立している個所など様々な空隙を作り、発泡樹脂シート２ａ，２ｂ，２ｃ間で空隙を生じるので、通気性を確保すると共に保温性も向上する。  
【００１８】
速暖性感温シート１を構成する、発泡樹脂シート２、軟質ポリウレタンシート３、繊維わた７、これらを被覆する通気性布地４は、シート全面に配されるキルトパターンによりキルト縫製６することで、一体化されている。
薄い発泡樹脂シートだけを単体又は積層してキルト縫製６し、ミシン目の両サイドに引っ張ると、引っ張る力は総て発泡樹脂シートに集中し、ミシン部分より縫い目破れが生じやすい。発泡樹脂シートを布地やウレタンフォームなどで保護するように積層することにより、キルト部分の引っ張り力は分散されるので、縫い目破れは生じにくくなり、簡単な手もみ洗い程度では、縫い目破れは生じないことを確認した。
キルト縫製６するためのミシンの縫い目ピッチは、インチあたり７〜１５ステッチ程度がよい、縫い目ピッチが粗すぎると縫われた糸が引っ張られやすくなり、逆に細かすぎると発泡体シートの針穴が接近しすぎて縫い目を生じやすい。繊維わた７は、速暖性感温シート１内において寝具等の使用者から遠い側に位置させる。
【００１９】
これらの材料を接着剤で貼り合わせることは、接着材によりシートのフレキシブル性が阻害されるのみならず、接着剤の種類によっては、接触冷感の強い樹脂があり、触ると冷たく感じる場合があるので好ましくない。
発泡シートを貫通する通気孔の上を縫い付けることはできる限り避けるように縫着することが望ましいが、特に限定するものではない。
キルトパターンは、使用方法によって体のラインの沿うように工夫することで体のラインに沿ったドレープ性を強化することも可能である。  
【符号の説明】
【００２０】
１  速暖性感温シート    
２  発泡樹脂シート    
３  ポリウレタンフォームシート    
４  通気性布地  
５  通気孔  
６  キルト縫製
７  繊維わた
【図１】
2011005810.tif 000003
【図２】
2011005810.tif 000004
【図３】
2011005810.tif 000005
【図４】
2011005810.tif 000006
【図５】
2011005810.tif 000007
【図６】
2011005810.tif 000008